(57)【特許請求の範囲】
【請求項１】
表面に表示部を有する第１の筐体と、
表面に機能ボタンと入力ボタンとを有する第２の筐体と、
上記第１の筐体が上記第２の筐体上をスライド可能なように、該第１の筐体と第２の筐体とを連結するスライド機構とを備えたスライド式携帯端末であって、
上記スライド機構は、
上記第１の筐体裏面に形成されたスライドフレームと、
上記スライドフレームの両端に形成されたスライドレールと、
上記スライドフレームの表面に上記スライドレールに沿って配置された弾性部材と、
上記第２の筐体の表面側に設けられ、上記スライドレールに係合する係合部と上記弾性部材を摺動しながら押圧する押圧部とを有し、第１の筐体と第２の筐体とを連結する摺動部とを備え、
上記弾性部材は、両端がそれぞれ上記スライドフレームに固定され、中間部には、上記スライドレールに向かって膨らむ隆起部と、該スライドレールから離れる方向に凹んだ谷部とが形成された鋼線よりなる
ことを特徴とするスライド式携帯端末。
【請求項２】
請求項１に記載のスライド式携帯端末であって、
上記弾性部材には、上記隆起部と谷部とが複数設けられている
ことを特徴とするスライド式携帯端末。
【請求項３】
請求項１又は２に記載のスライド式携帯端末であって、
上記弾性部材は、左右対称に一対設けられている
ことを特徴とするスライド式携帯端末。
【請求項４】
請求項３に記載のスライド式携帯端末であって、
上記第１の筐体と第２の筐体とを電気的に接続するフレキシブル基板を備え、該フレキシブル基板は、上記一対の弾性部材間に配置されている
ことを特徴とするスライド式携帯端末。
【請求項５】
請求項３又は４に記載のスライド式携帯端末であって、
上記押圧部は、上記一対の弾性部材を両側から挟み込むように一対配置され、該一対の押圧部の内面間の距離は、上記隣り合う谷部の底間の距離と同一である
ことを特徴とするスライド式携帯端末。
【請求項６】
表面に表示部を有する第１の筐体と、
表面に機能ボタンと入力ボタンとを有する第２の筐体と、
上記第１の筐体が上記第２の筐体上をスライド可能なように、該第１の筐体と第２の筐体とを連結するスライド機構とを備えたスライド式携帯端末であって、
上記スライド機構は、
上記第１の筐体裏面に形成されたスライドフレームと、
上記スライドフレームの両端に形成されたスライドレールと、
上記スライドフレームの表面に上記スライドレールに沿って配置された弾性部材と、
上記第２の筐体の表面側に設けられ、上記スライドレールに係合する係合部と上記弾性部材を摺動しながら押圧する押圧部とを有し、第１の筐体と第２の筐体とを連結する摺動部とを備え、
上記第１の筐体が第２の筐体上に重なり合う全閉状態と、
上記第１の筐体をスライドしたとき、第２の筐体の機能ボタンのみが現れる半開状態と、
第２の筐体の機能ボタン及び入力ボタンが現れる全開状態とに切換え可能である
ことを特徴とするスライド式携帯端末。
【請求項７】
表面に表示部を有する第１の筐体と、
表面に機能ボタンと入力ボタンとを有する第２の筐体と、
上記第１の筐体が上記第２の筐体上をスライド可能なように、該第１の筐体と第２の筐体とを連結するスライド機構とを備えたスライド式携帯端末であって、
上記スライド機構は、
上記第１の筐体裏面に形成されたスライドフレームと、
上記スライドフレームの両端に形成されたスライドレールと、
上記スライドフレームの表面に上記スライドレールに沿って配置された弾性部材と、
上記第２の筐体の表面側に設けられ、上記スライドレールに係合する係合部と上記弾性部材を摺動しながら押圧する押圧部とを有し、第１の筐体と第２の筐体とを連結する摺動部とを備え、
上記第１の筐体は、第２の筐体に対して上下方向にスライド移動可能に構成され、
上記第１の筐体を下方向にスライドし、第２の筐体の上端側が現れる逆開状態と、
上記第１の筐体が第２の筐体上に重なり合う全閉状態と、
上記第１の筐体を上方向にスライドし、第２の筐体の機能ボタン及び入力ボタンが現れる全開状態とに切換え可能である
ことを特徴とするスライド式携帯端末。
【発明の詳細な説明】
【技術分野】
【０００１】
スライド式携帯電話機に代表されるスライド式携帯端末に関し、特にそのスライド機構の改良に関する。
【背景技術】
【０００２】
従来より、携帯電話機は、大きく分けてストレートタイプ、折畳み式タイプ、スライド式タイプの３つのタイプがある。携帯電話機自体の全体の長さは、およそユーザの耳から口までの長さに決められているが、長すぎると携帯には不便である。
【０００３】
いずれのタイプを選択するかは、ユーザの好みではあるが、ストレートタイプでは、全体の長さの大半がボタンで占められ、表示部の大きさが最も小さくなる。折畳み式タイプでは、第１の筐体と第２の筐体とがヒンジ部によって折畳み可能に構成され、一方の筐体にボタンを配置し、他方に表示部を配置すれば、大きな表示部が得られる。
【０００４】
一方、スライド式タイプでは、第１の筐体と第２の筐体とがレールを介してスライド可能に構成されている。
【０００５】
例えば、特許文献１では、テンキーを備えた本体に対して、表示部及びソフトキーを備えた蓋体がスライド可能に配備されたスライド式蓋体付き携帯電話が開示されている。このスライド式蓋体付き携帯電話では、蓋体を閉じた状態でテンキーが蓋体に隠れ、表示部は蓋体の開閉に無関係に露出し、本体には蓋体が本体から抜け外れることを防止するストッパが設けられている。このことで、蓋体を閉じたまま、テンキーの操作ができ、また、表示部を見ることができるようになっている。
【０００６】
また、特許文献２では、第１のユニットと第２のユニットとを備え、カメラを搭載すると共に表示部及びメイン操作部を有し、第１のユニットと第２のユニットとが長軸方向にスライド可能なスライド式構造の携帯情報端末機が開示されている。この携帯情報端末機は、第１のユニットと第２のユニットとを全閉したときでも、第２ユニットの下端の送話部が露出している。
【０００７】
また、特許文献３では、一対のキャビネットが重ね合わされてスライド連結機構により互いにスライド可能に連結された携帯型電子機器が開示されている。このスライド連結機構は、いずれか一方のキャビネットの両側部に設けられたスライド係合部と他方のキャビネットの両側部に設けられたスライド係合受部とから構成されている。スライド係合受部には、スライド係合部と摺接してスライド係合部のスライド方向とは直交する２軸方向の動きを拘束すべき複数のスライドガイドが配備されている。このことにより、一対のキャビネットが互いにスライド可能に連結され、キャビネットのスムーズなスライド操作を実現すると同時に、スライド時のガタツキを効果的に抑制している。
【０００８】
また、特許文献４では、操作部が設けられた本体と、本体の操作部側に重ね合わせられた状態から操作部に沿ってスライド自在に接続された蓋体とからなる携帯情報端末が開示されている。この携帯情報端末では、本体と蓋体との接続部には、本体及び蓋体を重ね合わせた閉状態において閉状態を維持する方向へ蓋体を付勢し、かつ、蓋体を本体からスライドさせた開状態において開状態を維持する方向へ蓋体を付勢する付勢ばねが設けられている。このため、携帯情報端末を閉状態又は開状態に固定することができ、スライド式の携帯情報端末において、閉状態又は開状態で安定させることができるので、開閉が途中状態になることを回避することができる。
【特許文献１】特開２００３−１１０６７５号公報
【特許文献２】特開２００５−２６０６７４号公報
【特許文献３】特開２００６−２０２４５号公報
【特許文献４】特開２００６−１１５１０９号公報
【発明の開示】
【発明が解決しようとする課題】
【０００９】
しかしながら、従来のスライド式携帯電話では、スライド機構と、第１の筐体と第２の筐体とを電気的に接続する信号線との接触回避の必要性などの関係で、スライド量を大きくとることが困難である。大きくとれない場合には、ボタンの配置領域を確保するために、ボタンを第１の筐体と第２の筐体とに分離しておかなければならない。すなわち、表示部を一方の筐体全体に配置することができなくなり、表示部の大きさが制限されている。このため、表示部が小さくなり、テレビ視聴等がしずらいという問題がある。
【００１０】
本発明は、かかる点に鑑みてなされたものであり、その目的とするところは、スライド機構の構成に工夫を加えることにより、スムーズにスライド移動可能とすると共に、スライド量を大きくして第１の筐体に表示部を最大限大きく配置して快適に操作できるようにすることを目的とする。
【課題を解決するための手段】
【００１１】
上記目的を達成するために、第１の発明では、表面に表示部を有する第１の筐体と、
表面に機能ボタンと入力ボタンとを有する第２の筐体と、
上記第１の筐体が上記第２の筐体上をスライド可能なように、該第１の筐体と第２の筐体とを連結するスライド機構とを備えたスライド式携帯端末を対象とする。
【００１２】
そして、上記スライド機構は、
上記第１の筐体裏面に形成されたスライドフレームと、
上記スライドフレームの両端に形成されたスライドレールと、
上記スライドフレームの表面に上記スライドレールに沿って配置された弾性部材と、
上記第２の筐体の表面側に設けられ、上記スライドレールに係合する係合部と上記弾性部材を摺動しながら押圧する押圧部とを有し、第１の筐体と第２の筐体とを連結する摺動部とを備え、上記弾性部材は、両端がそれぞれ上記スライドフレームに固定され、中間部には、上記スライドレールに向かって膨らむ隆起部と、該スライドレールから離れる方向に凹んだ谷部とが形成された鋼線よりなる。
【００１３】
上記の構成によると、第１の筐体を第２の筐体に対してスライド移動させるときに、押圧部が弾性部材を押圧しながら摺動すると共に、弾性部材の復帰力により第１の筐体がスライドレールに沿ってスライド移動するのが助けられる。また、半開状態において、両端がスライドフレームに固定された弾性部材の隆起部を押圧部が摺動しながら押圧するので、隆起部を越えて谷部に向かうときには、弾性部材の復元力により、第１の筐体のスライド移動が補助される。
【００１４】
第２の発明では、第１の発明において、
上記弾性部材には、上記隆起部と谷部とが複数設けられている。
【００１５】
上記の構成によると、複数の隆起部と谷部とを設けることで、各隆起部でスライド移動を補助すると共に、各谷部で停止可能となり、多段階のスライド移動が可能となる。
【００１６】
第３の発明では、第１又は第２の発明において、
上記弾性部材は、左右対称に一対設けられている。
【００１７】
上記の構成によると、左右対称に２つ設けた弾性部材からの復元力の反力が、第１の筐体のスライドレールに対して均等にかかるので、第１の筐体がスムーズに移動する。
【００１８】
第４の発明では、第３の発明において、
上記第１の筐体と第２の筐体とを電気的に接続するフレキシブル基板を備え、該フレキシブル基板は、上記一対の弾性部材間に配置されている。
【００１９】
上記の構成によると、フレキシブル基板は、第１の筐体が第２の筐体に対してスライド移動する際に弾性部材と接触せず、スライド移動を阻害しないので、第１の筐体のスライド量が大きくなる。
【００２０】
第５の発明では、第３又は第４の発明において、
上記押圧部は、上記一対の弾性部材を両側から挟み込むように一対配置され、該一対の押圧部の内面間の距離は、上記隣り合う谷部の底間の距離と同一である。
【００２１】
上記の構成によると、一対の押圧部が、左右対称の弾性部材に対して挟み込むように均等な力で押圧しながら摺動するので、第１の筐体に均等な復元力が加わる。このため、第１の筐体がスムーズにスライド移動する。
【００２２】
第６の発明では、表面に表示部を有する第１の筐体と、
表面に機能ボタンと入力ボタンとを有する第２の筐体と、
上記第１の筐体が上記第２の筐体上をスライド可能なように、該第１の筐体と第２の筐体とを連結するスライド機構とを備えたスライド式携帯端末であって、
上記スライド機構は、
上記第１の筐体裏面に形成されたスライドフレームと、
上記スライドフレームの両端に形成されたスライドレールと、
上記スライドフレームの表面に上記スライドレールに沿って配置された弾性部材と、
上記第２の筐体の表面側に設けられ、上記スライドレールに係合する係合部と上記弾性部材を摺動しながら押圧する押圧部とを有し、第１の筐体と第２の筐体とを連結する摺動部とを備え、
上記第１の筐体が第２の筐体上に重なり合う全閉状態と、
上記第１の筐体をスライドしたとき、第２の筐体の機能ボタンのみが現れる半開状態と、
第２の筐体の機能ボタン及び入力ボタンが現れる全開状態とに切換え可能である。
【００２３】
上記の構成によると、第１の筐体を第２の筐体に対してスライド移動させるときに、押圧部が弾性部材を押圧しながら摺動すると共に、弾性部材の復帰力により第１の筐体がスライドレールに沿ってスライド移動するのが助けられる。また、半開状態において、必要な機能ボタンのみを現して第１の筐体のスライド量を小さくすることにより、重心を持ち手に近付け、機能ボタンを押したときの反動を小さくすることにより、機能ボタンの入力が快適に行われる。全開状態では、大きくスライドさせて全開とすることにより、機能ボタン及び入力ボタンが現れるので、第１の筐体にボタンを配置する必要がなく、表示部が大きくなる。
【００２４】
第７の発明では、表面に表示部を有する第１の筐体と、
表面に機能ボタンと入力ボタンとを有する第２の筐体と、
上記第１の筐体が上記第２の筐体上をスライド可能なように、該第１の筐体と第２の筐体とを連結するスライド機構とを備えたスライド式携帯端末であって、
上記スライド機構は、
上記第１の筐体裏面に形成されたスライドフレームと、
上記スライドフレームの両端に形成されたスライドレールと、
上記スライドフレームの表面に上記スライドレールに沿って配置された弾性部材と、
上記第２の筐体の表面側に設けられ、上記スライドレールに係合する係合部と上記弾性部材を摺動しながら押圧する押圧部とを有し、第１の筐体と第２の筐体とを連結する摺動部とを備え、
上記第１の筐体は、第２の筐体に対して上下方向にスライド移動可能に構成され、
上記第１の筐体を下方向にスライドし、第２の筐体の上端側が現れる逆開状態と、
上記第１の筐体が第２の筐体上に重なり合う全閉状態と、
上記第１の筐体を上方向にスライドし、第２の筐体の機能ボタン及び入力ボタンが現れる全開状態とに切換え可能である。
【００２５】
上記の構成によると、第１の筐体を第２の筐体に対してスライド移動させるときに、押圧部が弾性部材を押圧しながら摺動すると共に、弾性部材の復帰力により第１の筐体がスライドレールに沿ってスライド移動するのが助けられる。また、弾性部材の凹凸形状を工夫することにより、上方だけでなく、下方へのスライド移動が可能となる。第１の筐体を下方向にスライドした逆開状態では、第２の筐体の上端表面が現れる。例えば、第２の筐体の上端表面にカメラやスピーカを設けることで、逆開状態でカメラを使用したり、スピーカを露出させたりすることができる。全開した状態では、大きくスライドさせて全開とすることにより、機能ボタン及び入力ボタンが現れるので、第１の筐体にボタンを配置する必要がなく、表示部が大きくなる。
【発明の効果】
【００２６】
以上説明したように、第１の筐体裏面のスライドフレームの表面にスライドレールに沿って弾性部材を配置し、第２の筐体の表面側にスライドレールに係合する係合部と押圧部とを有する摺動部を設け、押圧部で弾性部材を摺動しながら押圧するようにしたことにより、スムーズにスライド移動させることができると共に、スライド量を大きくしたことにより、表示部を第１の筐体に最大限大きくして快適に操作できる。
【発明を実施するための最良の形態】
【００２７】
以下本発明の実施形態を図面に基づいて説明する。
【００２８】
図１〜図５に本発明の実施形態に係るスライド式携帯電話機の全閉状態から半開状態を経て全開状態にスライドされる様子を順を追って示す。本発明の実施形態にかかるスライド式携帯端末としてのスライド式携帯電話機１は、表面に表示部４を有する第１の筐体２と、表面に機能ボタン８と入力ボタン７とを有する第２の筐体３とを備えている。第１の筐体２の表側の上端には受話部５が、下端には送話部６が設けられている。入力ボタン７は、第２の筐体３の上下中間に配置されたテンキー等よりなる。機能ボタン８は、第２の筐体３の下側に配置され、カメラやＴＶを起動したり、音楽再生やゲームをしたり、電話帳を検索して通話をするときに操作される。
【００２９】
図６〜図１１にスライド式携帯電話機の全閉状態から半開状態を経て全開状態の様子を順を追って示すように、スライド式携帯電話機１は、第１の筐体２と第２の筐体３とをスライド自在に連結するスライド機構１０を備えている。このスライド機構１０は、第１の筐体２裏面にビス１８で固定されたスライドフレーム１１を備えている。なお、見やすくするために、図６〜図１１においては、第１の筐体２は、スライドフレーム１１及びその周辺以外は、省略している。このスライドフレーム１１は、板金で構成しても、樹脂成形品で構成してもよい。板金で構成すれば、剛性が高く、薄いスライドフレーム１１が作成され、樹脂成形品で構成すれば、複雑な形状でも成形が容易でかつ軽量なスライドフレーム１１が作成される。
【００３０】
スライドフレーム１１の左右両端には、スライドレール１４が形成されている。スライドレール１４は、ステンレス製線材で構成されている。このことで、剛性及び耐摩耗性の高いスライドレール１４が得られる。
【００３１】
スライドフレーム１１の表面には、スライドレール１４に沿って一対の弾性部材１２が配置されている。弾性部材１２は、左右対称に一対設けられている。各弾性部材１２は鋼線よりなり、両端２１がそれぞれスライドフレーム１１に固定ピン１３で固定されている。
【００３２】
第２の筐体３の表面側には、平面視Ｈ字状の摺動部１７がビス１８で立設されている。摺動部１７の左右両端には、スライドレール１４に左右両側から挟み込むように係合する溝形状の係合部１５が形成されている。摺動部１７の中間部裏面には一対の押圧部１６がスライドフレーム１１側へ突設され、この押圧部１６は、弾性部材１２に左右両側から挟み込むように当接している。押圧部１６は、第１の筐体２のスライド移動に伴って弾性部材１２に摺動しながら押圧するように構成されている。この摺動部１７により、第１の筐体２と第２の筐体３とがスライド自在に連結されている。
【００３３】
一方、図１２に拡大して示すように、弾性部材１２の中間部には、スライドレール１４に向かって左右外側へ膨らむ第１隆起部２２及び第２隆起部２３が形成されている。第１隆起部２２及び第２隆起部２３の端部には、スライドレール１４から離れる方向に凹んだ第１〜第３谷部２４，２５，２６が上から順に形成されている。第１谷部２４及び第３谷部２６は、それぞれ直線状に両端２１まで延びている。弾性部材１２は、第１谷部２４、第１隆起部２２，第２谷部２５、第２隆起部２３、第３谷部２６が形成され、左右にのみ凹凸のある厚さの薄いものとなっている。押圧部１６は、一対の弾性部材１２を両側から挟み込むように一対配置され、左右の押圧部１６の内面間の距離ｗ１は第１〜第３谷部２４，２５，２６の底面（外面）間の幅ｗ２（図６に示す）と同一となっている（ｗ１＝ｗ２）。なお、第１の筐体２がぐらつかないようにｗ１＜ｗ２としてもよい。
【００３４】
このように複数の隆起部２２，２３と谷部２４，２５，２６とを設けることで、各第１〜第３谷部２４，２５，２６で停止可能となり、２段階のスライド移動が可能となる。また、この弾性部材１２をステンレス製線材からなるものとすれば、耐摩耗性が高く、復元力の大きい弾性部材１２が得られ、滑らかな滑りで摺動音が発生しにくいスライド操作が可能となる。
【００３５】
第１の筐体２と第２の筐体３は、フレキシブル基板３０で電気的に接続されている。図１１に示すように、フレキシブル基板３０の一端３０ａは、スライドフレーム１１の下側に設けた第１貫通孔３１を通って図示しない第１の筐体２内の液晶側基板に接続され、他端３０ｂは、第２の筐体３の上下中間表面に設けた第２貫通孔３２を通って図示しないメイン基板に接続されている。そして、このフレキシブル基板３０は、左右一対の弾性部材１２間に、これら弾性部材１２に接触しないように距離をあけて配置されている。
【００３６】
−スライド式携帯電話機の組立手順−
図１１は、スライド式携帯電話機１の主要部品の分解斜視図である。スライド式携帯電話機１の組立手順を簡単に説明すると、まず、第１の筐体２と第２の筐体３の間に弾性部材１２、スライドフレーム１１、摺動部１７を組み込む作業が行われる。
【００３７】
すなわち、弾性部材１２の両端２１を、スライドフレーム１１の固定ピン１３にかしめによって取り付ける。このことで、弾性部材１２は復元力を発揮する。
【００３８】
次いで、摺動部１７を弾性部材１２を上から押さえ込みつつ、ビス１８にて第２の筐体３に固定する。
【００３９】
次いで、他端３０ｂがメイン基板に接続され、第２貫通孔３２から延びるフレキシブル基板３０の一端３０ａを一対の弾性部材１２間を通して第１の筐体２の第１貫通孔３１に挿通させ、液晶基板に接続する。
【００４０】
最後に第１の筐体２をビス１８にてスライドフレーム１１に固定し、組立が完了する。
【００４１】
−スライド式携帯電話機の作動−
次に、本実施形態にかかるスライド式携帯電話機１の作動について説明する。
【００４２】
まず、図１及び図６に示すように、スライド式携帯電話機１は、全閉の待機状態にある。一対の押圧部１６は、第１谷部２４に位置している。
【００４３】
次いで、図２及び図７に示すように、第１の筐体２をスライドし始めると、押圧部１６が第１隆起部２２を挟み込むように押圧しながら摺動する。押圧部１６には、弾性部材１２の復元力が加わっている。この状態から、第１の筐体２を上方へさらに少しスライドさせると弾性部材１２の復元力により自然にスライドし、図３及び図８の状態になる。このとき、押圧部１６が弾性部材１２の第１隆起部２２の少し手前の状態で指を離すと元に戻って第１の筐体２は閉じてしまうが、第１谷部２４から第１隆起部２２までの距離を短くすることにより、指で第１の筐体２を少しスライドするのみで指を離しても自然にスライドが継続するようにすることもできる。
【００４４】
図３及び図８に示すように、押圧部１６が第２谷部２５に落ち込んでいる。この状態では、機能ボタン８のみが現れる半開状態で保持されている。機能ボタン８を操作するときには表示部４を見ながら操作するため、表示部４が機能ボタン８と近傍にあることが望ましい。必要な機能ボタン８のみを現して第１の筐体２のスライド量を小さくすることにより、重心を持ち手に近付け、機能ボタン８を押したときの反動を小さくすることができる。このことで、機能ボタン８の入力が快適に行われる。
【００４５】
次いで、図３及び図８の状態からさらに第１の筐体２を上方へスライドさせると、図４及び図９に示すように、押圧部１６が第２隆起部２３を挟み込むように押圧する。この状態からさらに指でスライドすると第１の筐体２は自然にスライドして図５及び図１０の状態へと移動する。
【００４６】
図５及び図１０に示すように、第１の筐体２は全開状態となり、機能ボタン８及び入力ボタン７が現れる。新規に番号入力する際等の操作状態になる。このとき押圧部１６が弾性部材１２の第３谷部２６まで移動する。このように、全開状態では、第１の筐体２を大きくスライドさせて全開とすることにより、機能ボタン８及び入力ボタン７が現れるので、第１の筐体２に機能ボタン８又は入力ボタン７を配置する必要がなく、表示部４が大きくなる。このとき、フレキシブル基板３０は、摺動部１７に多少接触してもよい。
【００４７】
なお、第１の筐体２が弾性部材１２によって補助されてスライド移動するスピードは第１隆起部２２及び第２隆起部２３の形状により変更することができる。
【００４８】
このように、弾性部材１２には、第１隆起部２２及び第２隆起部２３が形成されていることにより、両者間の第２谷部２５で一度スライド移動が停止され、第３谷部２６でもう一度停止される。このため、２段階のスライド移動が可能となる。そして、両端２１がスライドフレーム１１に固定された弾性部材１２の第１及び第２隆起部２２，２３を押圧部１６が摺動しながら押圧するので、第１及び第２隆起部２２，２３を越えて第１〜第３谷部２４，２５，２６に向かうときには、弾性部材１２の復元力により、第１の筐体２のスライド移動が補助される。また、弾性部材１２は、左右対称に一対設けられているので、弾性部材１２からの復元力の反力が、第１の筐体２に対して均等にかかるので、第１の筐体２のスライドレール１４に沿ってスムーズに移動する。
【００４９】
さらに、フレキシブル基板３０は、一対の弾性部材１２間に配置されているので、フレキシブル基板３０は、第１の筐体２が第２の筐体３に対してスライド移動する際に弾性部材１２と接触せず、スライド移動を阻害しない。このため、第１の筐体２のスライド量が大きくなる。
【００５０】
−実施形態１の効果−
したがって、本実施形態にかかるスライド式携帯電話機１によると、第１の筐体２裏面のスライドフレーム１１の表面にスライドレール１４に沿って弾性部材１２を配置し、第２の筐体３の表面側にスライドレール１４に係合する係合部１５と押圧部１６とを有する摺動部１７を設け、押圧部１６で弾性部材１２を摺動しながら押圧するようにしたことにより、スムーズにスライド移動させることができると共に、スライド量を大きくしたことにより、表示部４を第１の筐体に最大限大きくして快適に操作できる。
【００５１】
（実施形態２）
図１３〜図１６は本発明の実施形態２を示し、主に弾性部材の形状が異なる点で上記実施形態１と異なる。なお、以下の各実施形態では、図１乃至図１２と同じ部分については同じ符号を付してその詳細な説明は省略する。
【００５２】
すなわち、上記実施形態１と同様に、第１の筐体２は、第２の筐体３に対して上下方向にスライド移動可能に構成されている。本実施形態のスライド式携帯電話機１０１は、第１の筐体２を下方向にスライドし、第２の筐体３の上端側が現れる逆開状態（図１４に示す）と、第１の筐体２を上方向にスライドし、第２の筐体３の機能ボタン８及び入力ボタン７が現れる全開状態（図１６に示す）とに切換え可能となっている。
【００５３】
図１７に示すように、本実施形態の弾性部材１１２は、上記実施形態１の弾性部材１２と同様に第１隆起部１２２及び第２隆起部１２３並びに第１〜第３谷部１２４，１２５，１２６を備える点で共通する。本実施形態の弾性部材１１２は、上記実施形態１の弾性部材１２よりも全長が長く、凹凸形状が異なっている。このことで、本実施形態のスライド式携帯電話機１０１は、全閉状態（図１３に示す）で押圧部１６が第２谷部１２５にある点で上記実施形態１と相違する。
【００５４】
−スライド式携帯電話機の作動−
次に、本実施形態にかかるスライド式携帯電話機１０１の作動について説明する。
【００５５】
まず、図１３に全閉の待機状態を示す。上述したように、一対の押圧部１６は、第２谷部１２５に位置している。
【００５６】
次いで、図１４に示すように、第１の筐体２を上方ではなく、下方にスライド移動させる。第１の筐体２をスライドし始めると、押圧部１６が第１隆起部１２２を挟み込むように押圧しながら摺動する。押圧部１６には、弾性部材１１２の復元力が加わっている。そして、弾性部材１１２の復元力に補助され、押圧部１６が第１谷部１２４に到り、第１の筐体２が逆開状態となる。逆開状態では、第２の筐体３の上端表面が現れる。図示しないが、例えば、第２の筐体３の上端表面にカメラやスピーカを設けることで、逆開状態でカメラを使用したり、スピーカを露出させることができる。
【００５７】
次いで、図１５に示すように、図１３の全閉状態から第１の筐体２を上方にスライド移動させると、押圧部１６が第２隆起部１２３を挟み込むように押圧する。この状態からさらに指でスライドすると第１の筐体２は自然にスライドして図１６の全開状態へと移動する。
【００５８】
図１６に示すように、全開状態では、機能ボタン８及び入力ボタン７が現れる。新規に番号入力する際の操作状態になる。このとき押圧部１６が弾性部材１２の第３谷部１２６まで移動する。全開状態では、大きくスライドさせて全開とすることにより、機能ボタン８及び入力ボタン７が現れるので、第１の筐体２に機能ボタン８又は入力ボタン７を配置する必要がなく、表示部４が大きくなる。
【００５９】
このように、弾性部材１１２の凹凸形状を工夫することにより、容易に反対方向へのスライド移動が可能となる。
【００６０】
以上説明したように、本実施形態にかかるスライド式携帯電話機１０１においても、上記実施形態１と同様の効果が得られる。
【００６１】
（その他の実施形態）
本発明は、上記実施形態について、以下のような構成としてもよい。
【００６２】
すなわち、上記実施形態では、携帯端末は、携帯電話機としたが、ＰＨＳ、ＰＤＡ、ＰＣ、モバイルツール、電子辞書、電卓、複写機等であってもよい。
【００６３】
なお、以上の実施形態は、本質的に好ましい例示であって、本発明、その適用物や用途の範囲を制限することを意図するものではない。
【図面の簡単な説明】
【００６４】
【図１】本発明の実施形態１に係るスライド式携帯電話機の全閉状態を示す斜視図である。
【図２】スライド式携帯電話機をスライドし始め押圧部が弾性部材の第１隆起部にかかったときの斜視図である。
【図３】スライド式携帯電話機をさらにスライドし、機能ボタンが現れた半開状態ときの斜視図である。
【図４】スライド式携帯電話機をさらにスライドし、押圧部が弾性部材の第２隆起部にかかったときの斜視図である。
【図５】スライド式携帯電話機の機能ボタンと入力ボタンとが現れた全開状態を示す斜視図である。
【図６】本発明の実施形態１に係るスライド式携帯電話機の全閉状態で押圧部が第１谷部にあるときのスライド機構及びその周辺を示す正面図である。
【図７】スライド式携帯電話機をスライドし始め押圧部が弾性部材の第１隆起部にかかったときのスライド機構及びその周辺を示す正面図である。
【図８】スライド式携帯電話機をさらにスライドし、押圧部が弾性部材の第２谷部にある半開状態ときのスライド機構及びその周辺を示す正面図である。
【図９】スライド式携帯電話機を図８からさらにスライドし、押圧部が弾性部材の第２隆起部にかかったときのスライド機構及びその周辺を示す正面図である。
【図１０】スライド式携帯電話機の全開状態で、押圧部が第３谷部にあるときのスライド機構及びその周辺を示す正面図である。
【図１１】スライド式携帯電話機の主要部品の分解斜視図である。
【図１２】実施形態１にかかる弾性部材を拡大して示す正面図である。
【図１３】本発明の実施形態２に係るスライド式携帯電話機の全閉状態で押圧部が第２谷部にあるときのスライド機構及びその周辺を示す正面図である。
【図１４】スライド式携帯電話機を下方へスライドさせ、逆開状態となり、押圧部が弾性部材の第１谷部にあるときのスライド機構及びその周辺を示す正面図である。
【図１５】スライド式携帯電話機を上方へスライドし、押圧部が弾性部材の第２隆起部にあるときのスライド機構及びその周辺を示す正面図である。
【図１６】スライド式携帯電話機の全開状態で、押圧部が第３谷部にあるときのスライド機構及びその周辺を示す正面図である。
【図１７】実施形態２にかかる弾性部材を拡大して示す正面図である。
【符号の説明】
【００６５】
１      スライド式携帯電話機（スライド式携帯端末）
２      第１の筐体
３      第２の筐体
７      入力ボタン
８      機能ボタン
１０      スライド機構
１１      スライドフレーム
１２      弾性部材
１３      固定ピン
１４      スライドレール
１５      係合部
１６      押圧部
１７      摺動部
２１      両端
２２      第１隆起部
２３      第２隆起部
２４      第１谷部
２５      第２谷部
２６      第３谷部
３０      フレキシブル基板
１０１      スライド式携帯電話機
１１２      弾性部材
１２２      第１隆起部
１２３      第２隆起部
１２４      第１谷部
１２５      第２谷部
１２６      第３谷部
【図１】
0004783766.tif 000002
【図２】
0004783766.tif 000003
【図３】
0004783766.tif 000004
【図４】
0004783766.tif 000005
【図５】
0004783766.tif 000006
【図６】
0004783766.tif 000007
【図７】
0004783766.tif 000008
【図８】
0004783766.tif 000009
【図９】
0004783766.tif 000010
【図１０】
0004783766.tif 000011
【図１１】
0004783766.tif 000012
【図１２】
0004783766.tif 000013
【図１３】
0004783766.tif 000014
【図１４】
0004783766.tif 000015
【図１５】
0004783766.tif 000016
【図１６】
0004783766.tif 000017
【図１７】
0004783766.tif 000018